(57)【要約】 【課題】  各種の医療用機器を希望する位置に設け、利便性を向上することができるようにした医療用ユニット装置を提供する。【解決手段】  治療室２の床３に設置され、患者用ベッド４が配置される領域５に臨む正面壁部１０に、案内レール１１ａ，１１ｂ１，１１ｂ２と、案内レール１１ａ，１１ｂ１，１１ｂ２に沿って移動可能に案内される可動取付け体１２ａ〜１２ｅとを設ける。第１可動取付け体１２ａには、モニタ装置１３が乗載される水平な載置面１４を有する機器載置台１５を連結し、他の第１可動取付け体１２ｂ，１２ｃにはフック状ハンガー部５０，６０を有するハンガー体５１，６１などを取り付ける。【選択図】      図１
2006136452.tif 000002
【特許請求の範囲】
【請求項１】
患者用ベッドが配置される領域に臨み、患者の診断、治療、観察、計測または通信に用いられる機器が接続される１または複数の機器接続部が設けられる正面壁部を備える医療用ユニット装置において、
前記正面壁部には、案内レールと、案内レールに沿って移動可能に案内される可動取付け体とが設けられ、
前記案内レールは、正面壁部の上端部に水平に設けられる第１案内レールと、正面壁部の前記第１案内レールよりも下方に第１案内レールと平行に設けられる第２案内レールとを含み、
第１案内レールには、第１可動取付け体が前記第１案内レールに沿って移動可能に装着されるとともに、第２案内レールには第２可動取付け体が前記第２案内レールに沿って移動可能に装着されることを特徴とする医療用ユニット装置。
【請求項２】
前記案内レールは、正面壁部の上端部に水平に設けられる第１案内レールと、正面壁部の前記第１案内レールよりも下方に第１案内レールと平行に設けられる第２案内レールとを含み、
第１案内レールには、第１可動取付け体が前記第１案内レールに沿って移動可能に装着されるとともに、第２案内レールには第２可動取付け体が前記第２案内レールに沿って移動可能に装着され、
第１可動取付け体には、前記機器が乗載される水平な載置面を有する機器載置台が連結され、
第２可動取付け体には、前記機器を吊下するフック状ハンガー部を有するハンガー体が着脱可能に連結されることを特徴とする請求項１記載の医療用ユニット装置。
【請求項３】
前記案内レールは、正面壁部の上端部に水平に設けられる第１案内レールと、正面壁部の前記第１案内レールよりも下方に第１案内レールと平行に設けられる第２案内レールとを含み、
第１案内レールには、第１可動取付け体が前記第１案内レールに沿って移動可能に装着されるとともに、第２案内レールには第２可動取付け体が前記第２案内レールに沿って移動可能に装着され、
第１可動取付け体には、前記機器が乗載される水平な載置面を有する機器載置台が連結され、
第２可動取付け体には、前記機器を吊下するフック状ハンガー部を有するハンガー体が着脱可能に連結され、
前記第２案内レールは、前記患者用ベッドが配置される領域に関して両側に分断され、この分断された各第２案内レールに第２可動取付け体がそれぞれ装着され、
第１および第２可動取付け体は、第１および第２案内レールに係合する係合爪と、この係合爪が第１および第２案内レールに対して係合する係合方向とは反対側に前記第１および第２案内レールを押圧する押圧ねじ部材とを有し、第１および第２案内レールから突出する部分には、前記機器を着脱可能に取り付けるためのねじ孔が形成されることを特徴とする請求項１記載の医療用ユニット装置。
【発明の詳細な説明】
【技術分野】
【０００１】
本発明は、集中治療室（intensive care unit；略称ICU）、冠疾患集中治療室
（coronary care unit；略称CCU）および新生児特定集中治療室（neonatal intensive
care unit；略称NICU）などに装備され、医療に用いられる複数の機器がユニット化された医療用ユニット装置に関する。
【背景技術】
【０００２】
典型的な従来の技術は、特許文献１に記載されている。この従来の技術では、正面に医療用ガスの接続設備、ナースコール用などの弱電設備、コンセントなどの電源設備などが設けられる複数のユニット本体が連結された医療用ユニット装置において、各ユニット本体の連結部の仕切材が医療用ガスの配管や電気配線の作業の邪魔になるため、各ユニット本体の側端部を互いに付き合わせ状態に配置し、その継ぎ目を略コ字状の仕切材を着脱自在に装着して覆う構造とし、配管スペースを開放することができるように構成されている。
【０００３】
各ユニット本体は、病室の壁面に取り付けられる本体板と、上カバーと、下カバーと、正面壁部である設備プレートとによって、ボックス状に形成され、設備プレートには前記医療用ガスの接続設備、弱電設備および電源設備が設けられている。
【０００４】
【特許文献１】実開昭６３−１６０２８号公報
【発明の開示】
【発明が解決しようとする課題】
【０００５】
このような従来の技術では、各ユニット本体には患者の診断、治療、観察、計測または通信に用いられる各種の機器、たとえば重量の大きなモニタ装置などを乗載して希望する位置に設置し、あるいは電気コードなどを希望する位置で掛け止め、あるいは輸液セットの輸液パックなどを患者近傍の最適位置に吊下するための構成、すなわち前記患者の診断、治療、観察、計測または通信に用いられる各種の機器を、希望する位置に設置し、掛け止め、吊下して設けることができるように構成されていないため、利便性が悪いという問題がある。
【０００６】
本発明の目的は、各種の医療用機器を希望する位置に設け、利便性を向上することができるようにした医療用ユニット装置を提供することである。
【課題を解決するための手段】
【０００７】
本発明は、患者用ベッドが配置される領域に臨み、患者の診断、治療、観察、計測または通信に用いられる機器が接続される１または複数の機器接続部が設けられる正面壁部を備える医療用ユニット装置において、
前記正面壁部には、案内レールと、案内レールに沿って移動可能に案内される可動取付け体とが設けられ、
前記案内レールは、正面壁部の上端部に水平に設けられる第１案内レールと、正面壁部の前記第１案内レールよりも下方に第１案内レールと平行に設けられる第２案内レールとを含み、
第１案内レールには、第１可動取付け体が前記第１案内レールに沿って移動可能に装着されるとともに、第２案内レールには第２可動取付け体が前記第２案内レールに沿って移動可能に装着されることを特徴とする医療用ユニット装置である。
【０００８】
本発明に従えば、患者用ベッドが配置される領域に臨む正面壁部には、患者の診断、治療、観察、計測または通信に用いられる機器が接続される１または複数の機器接続部が設けられ、この正面壁部に、案内レールと、案内レールに沿って移動可能に案内される可動取付け体とが設けられるので、可動取付け体に、前記患者の診断、治療、観察、計測または通信に用いられる機器およびその他の機器を取り付けて、前記案内レールに沿って希望する位置へ移動させて、掛け止め、または吊下して設けることができる。これによって任意の機器を患者近傍の最適な位置へ配置することが可能となり、利便性を向上し、患者の診断、治療および検査などの医療処置を支援することができる。
【０００９】
また、患者用ベッドが配置される領域に臨む正面壁部には、患者の診断、治療、観察、計測または通信に用いられる機器が接続される１または複数の機器接続部が設けられ、この正面壁部に、案内レールと、案内レールに沿って移動可能に案内される可動取付け体とが設けられ、前記案内レールは、正面壁部の上端部に水平に設けられる第１案内レールと、正面壁部の前記第１案内レールよりも下方に第１案内レールと平行に設けられる第２案内レールとを有し、第１案内レールには、第１可動取付け体が装着されるとともに、第２案内レールには第２可動取付け体が装着されるので、第１および第２可動取付け体に、前記患者の診断、治療、観察、計測または通信に用いられる機器およびその他の機器を取り付けて、前記第１および第２案内レールに沿って希望する位置へ移動させて、掛け止め、または吊下して設けることができる。これによって任意の機器を患者近傍の最適な位置へ配置することが可能となり、利便性を向上し、患者の診断、治療および検査などの医療処置を支援することができる。
【００１０】
また本発明は、前記案内レールは、正面壁部の上端部に水平に設けられる第１案内レールと、正面壁部の前記第１案内レールよりも下方に第１案内レールと平行に設けられる第２案内レールとを含み、
第１案内レールには、第１可動取付け体が前記第１案内レールに沿って移動可能に装着されるとともに、第２案内レールには第２可動取付け体が前記第２案内レールに沿って移動可能に装着され、
第１可動取付け体には、前記機器が乗載される水平な載置面を有する機器載置台が連結され、
第２可動取付け体には、前記機器を吊下するフック状ハンガー部を有するハンガー体が着脱可能に連結されることを特徴とする。
【００１１】
本発明に従えば、第１可動取付け体には、前記機器が乗載される水平な載置面を有する機器載置台が連結されるので、機器載置台の載置面にモニタ装置などの重量の大きな機器を乗載して希望する位置に設置することができ、これによって、より一層、利便性が向上される。
【００１２】
さらに第２可動取付け体には、前記機器を吊下するフック状ハンガー部を有するハンガー体が着脱可能に連結されるので、前記ハンガー体のフック状ハンガー部に、検査機器など電源コードおよび通信コードなど掛け止め、あるいは輸液セットの輸液パックなどを吊下することができる。これによって、より一層、利便性が向上される。
【００１３】
さらに本発明は、前記案内レールは、正面壁部の上端部に水平に設けられる第１案内レールと、正面壁部の前記第１案内レールよりも下方に第１案内レールと平行に設けられる第２案内レールとを含み、
第１案内レールには、第１可動取付け体が前記第１案内レールに沿って移動可能に装着されるとともに、第２案内レールには第２可動取付け体が前記第２案内レールに沿って移動可能に装着され、
第１可動取付け体には、前記機器が乗載される水平な載置面を有する機器載置台が連結され、
第２可動取付け体には、前記機器を吊下するフック状ハンガー部を有するハンガー体が着脱可能に連結され、
前記第２案内レールは、前記患者用ベッドが配置される領域に関して両側に分断され、この分断された各第２案内レールに第２可動取付け体がそれぞれ装着され、
第１および第２可動取付け体は、第１および第２案内レールに係合する係合爪と、この係合爪が第１および第２案内レールに対して係合する係合方向とは反対側に前記第１および第２案内レールを押圧する押圧ねじ部材とを有し、第１および第２案内レールから突出する部分には、前記機器を着脱可能に取り付けるためのねじ孔が形成されることを特徴とする。
【００１４】
本発明に従えば、第１および第２可動取付け体は、第１および第２案内レールに係合する係合爪と、この係合爪が第１および第２案内レールに対して係合する係合方向とは反対側に前記第１および第２案内レールを押圧する押圧ねじ部材とを有し、第１および第２案内レールから突出する部分には、前記機器を着脱可能に取り付けるためのねじ孔が形成されるので、このねじ孔に螺着することができるボルトまたはビスなどを用いて、形態の異なる各種の機器を容易にかつ大きな強度で第１および第２可動取付け体に着脱自在に取り付けることができる。また、第１および第２案内レールに係合爪を係合させた状態で押圧ねじ部材によって第１および第２案内レールを押圧することによって、第１および第２可動取付け体を第１および第２案内レールに希望する位置で固定し、機器の位置を変えたい場合には、前記押圧ねじ部材による第１および第２案内レールの押圧状態を解除することによって、第１および第２可動取付け体を第１および第２案内レールに対して移動させることが可能となり、位置の変更を容易に行うことができる。
【発明の効果】
【００１５】
本発明によれば、可動取付け体に患者の診断、治療、観察、計測または通信に用いられる機器およびその他の機器を取り付けて、前記案内レールに沿って希望する位置へ移動させて、掛け止め、または吊下して設けることができ、これによって任意の機器を患者近傍の最適な位置へ配置することが可能となり、利便性を向上することができる。
【００１６】
また、第１および第２可動取付け体に、前記患者の診断、治療、観察、計測または通信に用いられる機器およびその他の機器を取り付けて、前記第１および第２案内レールに沿って希望する位置へ移動させて、掛け止め、または吊下して設けることができ、これによって任意の機器を患者近傍の最適な位置へ配置することが可能となり、利便性を向上することができる。
【００１７】
また本発明によれば、機器載置台の載置面にモニタ装置などの重量の大きな機器を乗載して希望する位置に設置することができ、これによって、より一層、利便性を向上することができる。またハンガー体のフック状ハンガー部に、検査機器など電源コードおよび通信コードなど掛け止め、あるいは輸液セットの輸液パックなどを吊下することができ、より一層、利便性を向上することができる。
【００１８】
さらに本発明によれば、ボルトまたはビスなどを用いて、形態の異なる各種の機器を容易にかつ大きな強度で第１および第２可動取付け体に着脱自在に取り付け、また第１および第２案内レールに係合爪を係合させた状態で押圧ねじ部材によって第１および第２案内レールを押圧することによって、第１および第２可動取付け体を第１および第２案内レールに希望する位置で固定し、機器の位置を変えたい場合には、前記押圧ねじ部材による第１および第２案内レールの押圧状態を解除することによって、第１および第２可動取付け体を第１および第２案内レールに対して移動させることが可能となり、位置の変更を容易に行うことができる。
【発明を実施するための最良の形態】
【００１９】
図１は、本発明の実施の一形態を示す医療用ユニット装置１の正面図であり、図２は図１の左方から見た医療用ユニット装置１の左断面図であり、図３は図１の右方から見た医療用ユニット装置１の右断面図であり、図４は図１の上方から見た医療用ユニット装置１の平面図である。
【００２０】
本実施の形態の医療用ユニット装置１は、集中治療室（intensive care unit；略称ICU）、冠疾患集中治療室（coronary care unit；略称CCU）および新生児特定集中治療室
（neonatal intensive care unit；略称NICU）などの治療室２の床３に設置され、患者用ベッド４が配置される領域５に臨み、患者の診断、治療、観察、計測または通信に用いられる各種の機器が接続される複数の機器接続部６，７，８，９が設けられ、複数の化粧パネルおよびその補強材などによって構成される正面壁部１０を備える。
【００２１】
前記正面壁部１０には、案内レール１１と、案内レール１１に沿って移動可能に案内される可動取付け体１２とが設けられる。前記案内レール１１は、正面壁部１０の上端部に水平に設けられる第１案内レール１１ａと、正面壁部１０の前記第１案内レール１１ａよりも下方に第１案内レール１１ａと平行に設けられる第２案内レール１１ｂとを含み、前記第２案内レール１１ｂは、前記患者用ベッド４が配置される領域５に関して両側に分断された２つの第２案内レール１１ｂ１，１１ｂ２からなる。なお、案内レール１１ａ，１１ｂ１，１１ｂ２を総称する場合には、添え字ａ，ｂ１，ｂ２は省略し、「案内レール１１」と記す。これらの案内レール１１は、図１の左右方向である水平方向に一直線状に延びる。
【００２２】
上段の機器接続部６，７は、正面壁部１０の上部に水平な一直線上に整列して設けられ、一方の機器接続部６には、天井照明機器の調光スイッチＳＷ１、天井照明具のオンオフスイッチＳＷ２、医療用機器信号線の接続端子Ｔ１、および通信ケーブルの接続端子Ｔ２などが設けられ、他方の機器接続部７には、ナースコール用信号線の接続端子Ｔ３、医療機器信号線の接続端子Ｔ４、照明機器のスイッチＳＷ３、テレビ受像機のスイッチＳＷ５、テレビ受像機のアンテナジャックＴ５、電源用コンセントＴ６などが設けられる。これらの機器接続部６，７の上下両側には、第１および第２案内レール１１ａ，１１ｂ１，１１ｂ２が設けられる。
【００２３】
下段の機器接続部８には、酸素供給口２０ａ、空気供給口２１ａおよび患者から痰などを吸引する吸引器２３ａが取り付けられる吸引器取付け部２４ａなどが設けられる。またもう一方の機器接続部９には、酸素供給口２０ｂ、空気供給口２１ｂ、笑気供給口２５、および吸引器２３ｂが取り付けられる吸引器取付け口２４ｂなどが設けられる。
【００２４】
下段の機器接続部８，９の下方には、中央に患者ベッド４の存在／不存在を検出するとともに、患者ベッド４を位置決めするベッドロケータ２６が設けられ、このベッドロケータ２６の一側方には分電盤２７が設けられ、他側方には透析用給排水ボックス２８が設けられる。
【００２５】
前記第１案内レール１１ａ、上段の各機器接続部６，７、各第２案内レール１１ｂ１，１１ｂ２および下段の各機器接続部８，９は、上から下にこの順序でかつベッドロケータ２６よりも上方に設けられ、ベッドロケータ２６によって位置決めされた患者ベッド４上の患者に対して、その患者を中心にして患者よりも上方でかつ両側から各種の機器を配置することができ、処置、診察、検査などを行うにあたって、最短の作業動線で作業を行い、患者の検査、診断、処置などを行うことができる。
【００２６】
第１案内レール１１ａには、第１可動取付け体１２ａ，１２ｂ，１２ｃが装着されるとともに、各第２案内レール１１ｂ１，１１ｂ２には第２可動取付け体１２ｄ，１２ｅが装着される。この可動取付け体１２ａ〜１２ｅについても、総称する場合には、添え字ａ〜ｅは省略し、「可動取付け体１２」と記す。
【００２７】
図５は、図１の切断面線Ｖ−Ｖから見た機器載置台１５の側面図であり、図６は図５の左方から見た機器載置台１５の正面図である。第１可動取付け体１２ａには、機器であるモニタ装置１３が乗載される水平な載置面１４を有する機器載置台１５が連結される。
【００２８】
機器載置台１５は、医療用ユニット装置１の装置本体３０の水平でかつ平坦な天板３１上に配置され、前記水平な載置面１４を形成する水平部３２と、水平部３２の前記正面壁部１０側の側縁部から下方に直角に屈曲して連なる鉛直部３３とを有する。鉛直部３３は前記第１可動取付け体１１ａに着脱可能に取り付けられる。水平部３２において、正面壁部１０側の側縁部近傍には、滑り性の良好な合成樹脂からなる摺動支持片３５が固定される。この摺動支持片３５は、天板３１によって摺動自在に支持される。また水平部３２の背後側（図５の右側）の側縁部には、キャスタ３６が設けられる。
【００２９】
このように機器載置台１５は、摺動支持片３５およびキャスタ３６によって天板３１上を、載置面１４に重量の大きなモニタ装置１３を搭載して、第１案内レール１１ａに沿って、載置面１４を水平に維持した状態で移動可能に支持される。
【００３０】
図７は、第１可動取付け体１２ａおよびその付近の拡大断面図であり、図８は第１可動取付け体１２ａの斜視図である。第１可動取付け体１２ａは、第１案内レール１１ａに係合する係合爪４０と、この係合爪４０が第１案内レール１１ａに対して係合する係合方向Ａ１とは反対側Ａ２に前記第１案内レール１１ａを軸の先端部によって押圧する押圧ねじ部材４１とを有し、第１案内レール１１ａから突出する部分４２には、前記機器載置台１５を着脱可能に取り付けるための複数のねじ孔４３が形成される。各ねじ孔４３には、ボルト４４が螺着され、機器載置台１５の前記鉛直部３３が着脱可能に取り付けられる。残余の可動取付け体１２ｂ〜１２ｅの構成もまた、前述の第１可動取付け体１２ａと同様である。
【００３１】
図９は、図１の切断面線ＩＸ−ＩＸから見た断面図であり、図１０は図９の上方から見た平面図である。第１可動取付け体１２ｂには、前記機器である輸液セットの輸液パックを吊下する複数（本実施の形態では４）のフック状ハンガー部５０を有する第１ハンガー体５１が着脱可能に連結される。第１ハンガー体５１は、上端部に前記フック状ハンガー部５０が設けられる支柱５２と、この支柱５２が軸線方向（図９では上下方向）に移動可能に挿通し、支柱５２を前記軸線方向の任意の位置で固定するための第１操作部５３を有するブラケット５４と、ブラケット５４に上端部が嵌着されるピン５５と、ピン５５がその軸線まわりに回動自在に挿通し、ピン５５を任意の回動位置で固定するための第２操作部５６を有する取付け具５７とを含む。取付け具５７は、前記第１可動取付け体１２ｂに前記ボルト４４によって着脱可能に取り付けられる。
【００３２】
図１１は、図１の切断面線ＸＩ−ＸＩから見た断面図であり、図１２は図１１の左方から見た正面図である。第２可動取付け体１２ｄには、前記機器を吊下する一対のフック状ハンガー部６０を有する第２ハンガー体６１が着脱可能に連結される。各フック状ハンガー部６０は、取付け板６２の長手方向（図１１の左右方向）両端部に溶接して固定される。このようなフック状ハンガー部６０には、たとえば通信線、電源コードなどを掛け止めることができる。
【００３３】
本実施の形態によれば、第１および第２可動取付け体１２に、前記患者の診断、治療、観察、計測または通信に用いられる機器およびその他の機器を取り付けて、前記第１および第２案内レール１１に沿って希望する位置へ移動させて、掛け止め、または吊下して設けることができ、これによって任意の機器を患者近傍の最適な位置へ配置することが可能となり、利便性を向上し、患者の診断、治療および検査などの医療処置を支援することができる。
【００３４】
また機器載置台１５の載置面１４にモニタ装置１３などの重量の大きな機器を乗載して希望する位置に設置することができ、ハンガー体５１，６１のフック状ハンガー部５０，６０に、検査機器など電源コードおよび通信コードなど掛け止め、あるいは輸液セットの輸液パックなどを吊下することができ、患者用ベッド４の両側の第２可動取付け体１１を用いて各種の機器を設置することができ、これによって各種の機器の設置上の自由度が高くなり、より一層、利便性が向上することができる。
【００３５】
さらに、ボルト４４またはビスなどを用いて、形態の異なる各種の機器を容易にかつ大きな強度で第１および第２可動取付け体１２に着脱自在に取り付け、また第１および第２案内レール１１に係合爪４０を係合させた状態で押圧ねじ部材であるボルト４１によって第１および第２案内レール１１を押圧することによって、第１および第２可動取付け体１２を第１および第２案内レール１１に希望する位置で固定し、機器の位置を変えたい場合には、前記ボルト４１による第１および第２案内レール１１の押圧状態を解除することによって、第１および第２可動取付け体１２を第１および第２案内レール１１に対して移動させることが可能となり、位置の変更を容易に行うことができる。
【図面の簡単な説明】
【００３６】
【図１】本発明の実施の一形態を示す医療用ユニット装置１の正面図である。
【図２】図１の左方から見た医療用ユニット装置１の左方面図である。
【図３】図１の右方から見た医療用ユニット装置１の右方面図である。
【図４】図１の上方から見た医療用ユニット装置１の平面図である。
【図５】図１の切断面線Ｖ−Ｖから見た機器載置台１５の側面図である。
【図６】図５の左方から見た機器載置台１５の正面図である。
【図７】第１可動取付け体１２ａおよびその付近の拡大断面図である。
【図８】第１可動取付け体１２ａの斜視図である。
【図９】図１の切断面線ＩＸ−ＩＸから見た断面図である。
【図１０】図９の上方から見た平面図である。
【図１１】図１の切断面線ＸＩ−ＸＩから見た断面図である。
【図１２】図１１の左方から見た正面図である。
【符号の説明】
【００３７】
１  医療用ユニット装置
４  患者用ベッド
５  領域
６，７，８，９  機器接続部
１０  正面壁部
１１；１１ａ，１１ｂ１，１１ｂ２  案内レール
１２；１２ａ〜１２ｅ  可動取付け体
１３  モニタ装置
１４  載置面
１５  機器載置台
３０  装置本体
５０，６０  フック状ハンガー部
５１，６１  ハンガー体
５２  支柱
５７  取付け具
【図１】
2006136452.tif 000003
【図２】
2006136452.tif 000004
【図３】
2006136452.tif 000005
【図４】
2006136452.tif 000006
【図５】
2006136452.tif 000007
【図６】
2006136452.tif 000008
【図７】
2006136452.tif 000009
【図８】
2006136452.tif 000010
【図９】
2006136452.tif 000011
【図１０】
2006136452.tif 000012
【図１１】
2006136452.tif 000013
【図１２】
2006136452.tif 000014